(57)【要約】【課題】  着用者の鼠蹊部におむつの股下部がぴったりと沿い、おむつの股下部が外観上すっきりしたパンツ型の使い捨ておむつを提供すること。【解決手段】  パンツ型の使い捨ておむつ１は、ウエスト開口部５と一対のレッグ開口部６とを備える。おむつ１の展開状態において、長手方向前側部のフラップ部Ｆの下端縁と、後側部のフラップ部Ｆの下端縁との間の距離Ｍを２１０〜２８０ｍｍとした。またおむつ１の長手方向中央部近傍における最小幅部の幅Ｎを５０〜１６０ｍｍとした。【選択図】    図３
2006061682.tif 000002
【特許請求の範囲】
【請求項１】
ウエスト開口部と一対のレッグ開口部とが形成されているパンツ型の使い捨ておむつであって、
前記おむつの展開状態において、長手方向前側部のフラップ部の下端縁と、後側部のフラップ部の下端縁との間の距離を２１０〜２８０ｍｍとすると共に該おむつの長手方向中央部近傍における最小幅部の幅を５０〜１６０ｍｍとしたパンツ型使い捨ておむつ。
【請求項２】
吸収性コアは、その幅方向両側縁部近傍においておむつ本体から離間可能になされていると共に、離間可能になされている部分間においておむつ本体に固定されている請求項１記載のパンツ型使い捨ておむつ。
【請求項３】
おむつの腹側部及び背側部それぞれにおける前記ウエスト開口部と前記レッグ開口部との間に、おむつ着用時の圧力が１．１〜２．５ｋＰａとなされている領域が存在し且つ該領域の幅が１５〜３５ｍｍである請求項１又は２記載のパンツ型使い捨ておむつ。
【請求項４】
前記おむつの展開状態において、長手方向中心線から腹側部の前記領域の中心位置との間の距離が１８０〜２２０ｍｍであり、且つ長手方向中心線から背側部の前記領域の中心位置との間の距離が１８０〜２２０ｍｍである請求項３記載のパンツ型使い捨ておむつ。
【請求項５】
前記領域が、おむつの左右両側縁と前記吸収体の左右両側縁との間に主として存在している請求項３又は４記載のパンツ型使い捨ておむつ。
【請求項６】
前記領域は、おむつを着用したときに着用者の腸骨稜から上前腸骨棘にかけての部位に当接する部位に形成されている請求項３ないし５の何れかに記載のパンツ型使い捨ておむつ。
【請求項７】
おむつ着用時の前記ウエスト開口部の圧力が０．３〜１．５ｋＰａとなされている請求項１ないし６の何れかに記載のパンツ型使い捨ておむつ。
【発明の詳細な説明】
【技術分野】
【０００１】
本発明は、パンツ型使い捨ておむつ、特に幼児用のパンツ型使い捨ておむつに関する。
【背景技術】
【０００２】
従来のパンツ型使い捨ておむつは、着用状態において股下部のだぶつきが大きく、もこもことした外観を呈する場合が多い。その結果、足が動かしにくく、動きによっておむつが位置ずれを起こしやすくなる場合が多い。おむつの位置ずれは漏れの原因につながる。また、股下部がだぶつくと、おむつの上にオーバーパンツやズボンなどの上着をはかせづらくなり、しかも上着の外観が良好でなくなる。股下部のだぶつきに起因しておむつの位置ずれが起こると、そのだぶつきが一層助長される。
【０００３】
そこで、おむつの股下部の幅を狭くする技術が種々提案されている（特許文献１ないし３参照）。しかし股下部の幅を狭くすると、着用状態において股下部は細長く垂れ下がった形状になり、一層だぶつきが目立つようになる。また、動きやすさや、オーバーパンツ及びズボンなどの上着の装着性は改善されない。着用状態での外観についても同様である。特に特許文献１に記載のおむつは、股下部の幅を狭くすると同時に、おむつの全長に対するサイドシール部の長さを短くする、つまり、非接合部（＝股下部）を長くするものなので、股下部が細長く垂れ下がることが一層助長される。
【０００４】
股下部の幅を狭くする技術とは別に、おむつの位置ずれを防止する技術も提案されている。例えば、おむつの少なくとも腹側が、コアの前端縁を境とする上下各最大２０ｍｍの範囲で画成される第１胴周り域と、該第１胴周り域とレッグ開口部との間に画成される第２胴周り域とを有し、第１胴周り域における弾性部材の各々の配列間隔寸法を、第２胴周り域における弾性部材の各々の配列間隔寸法よりも小さくしたパンツ型使い捨ておむつが提案されている（特許文献４参照）。このおむつは、第１胴周り域及び第２胴周り域における一定面積の当たりの面圧を実質的に等しくしつつ、肌に対する密着性に関し、第１胴周り域を第２胴周り域よりも良好にすることで、おむつの着用感を損なうことなく漏れを防止しようとするものである。
【０００５】
また弾性部材の配設間隔を、レッグ開口部に向かうに連れて漸次狭くなるようにすることで、着用者の胴部腰骨の上部に強い収縮力が働くようにしたパンツ型使い捨ておむつも知られている（特許文献５参照）。
【０００６】
しかしこれらのおむつは着用者の体型や骨格に充分に対応した形状のものではないので、着用中におむつがずれ落ちて外観が低下し、またずれ落ちに起因して着用者が動きにくくなるおそれがある。また、ウエスト開口部に強い締め付け圧が加わるので、おむつを着用させにくくなるおそれがある。
【０００７】
【特許文献１】特開２００２−１５９５２９号公報
【特許文献２】実開平２−８４６２３号公報
【特許文献３】特開平１１−１８８０５６号公報
【特許文献４】特開平９−８４８２６号公報
【特許文献５】実開平６−４２１号公報
【発明の開示】
【発明が解決しようとする課題】
【０００８】
従って本発明の目的は、前述した従来技術が有する種々の欠点を解消し得るパンツ型使い捨ておむつを提供することにある。
【課題を解決するための手段】
【０００９】
本発明は、ウエスト開口部と一対のレッグ開口部とが形成されているパンツ型の使い捨ておむつであって、
前記おむつの展開状態において、長手方向前側部のフラップ部の下端縁と、後側部のフラップ部の下端縁との間の距離を２１０〜２８０ｍｍとすると共に該おむつの長手方向中央部近傍における最小幅部の幅を５０〜１６０ｍｍとしたパンツ型使い捨ておむつを提供することにより前記目的を達成したものである。
【発明の効果】
【００１０】
本発明のパンツ型使い捨ておむつは、着用状態で股下部がだぶつかず、おむつの外観がすっきりしたものとなる。そのため、着用者の動作、特に足の動きを妨げることがなく、また、着用者の動作等に起因するおむつのずれ落ちが、おむつの着用中に起こりづらい。その結果、尿や便の漏れも起こりづらい。また、おむつの上にオーバーパンツやズボンなどの上着をはかせやすく、はかせた後の上着の外観もすっきりする。
【発明を実施するための最良の形態】
【００１１】
以下本発明を、その好ましい実施形態に基づき図面を参照しながら説明する。図１には、本発明のパンツ型使い捨ておむつの一実施形態の斜視図が示されている。図２には、図１に示すおむつを組み立てる前の状態の分解斜視図が示されている。図３には、図２におけるおむつの展開状態の平面図が示されている。なお以下の説明において、おむつの展開状態とは、おむつのサイドシール部が接合される前の状態をいう。
【００１２】
先ず、本発明完成の基礎となった新規な設計手法について一例を示して簡単に説明する。
第１ステップ；シーチング（吸収性物品の平面形状に比べて充分な寸法を有する布）を、モニター（幼児等）の身体に直接当て、立体裁断を行う。シーチングにモニターのウエスト回り、大腿部の付根に沿った大腿付根回り（図５における大腿付根囲）、脇の各ライン及びたたんだダーツを書き込む。このとき右半身を正確に採取する。シーチングを広げて得られたパターンをＣＡＤに取り込み、左右対称になるよう複写して得られたパターンを平面形状設計のベースパターンとする。図４（ａ）〜（ｃ）は、このようにして得られたベースパターンを示すもので、図中の縦線分Ｌａは、モニターの股上前後長（ウエストライン前中心から股下を通り、ウエストライン後ろ中心までの距離）〔図５参照〕を示し、該縦線分に直交する横線分Ｌｂは、クロッチ位置（左右の大腿付根回りのライン間の距離が最小となる前後方向の位置、モニターの股間幅が最小となる前後方向の位置に相当）及びクロッチ長を示している。また、曲線Ｌｃは、前記大腿付根回りのラインを示し、曲線Ｌｄはウエスト回りのラインを示し、曲線Ｌｅは、モニターの脇のライン（モニターの左右側部の稜線）を示している。このようにして、複数のモニターについてのベースパターンを得る。
【００１３】
第２ステップ；ベースパターンを、モニターの年齢（月齢）や男女の別等により複数の群に区分し、各区分毎に平均化を行い、マスターパターンを得る。このとき、ウエスト回り、股上前後長、脇、大腿付根囲の寸法は、乳幼児約３５０人の身体計測を実施して得られた寸法の各区分毎の平均値を用い、大腿付根回りのライン形状、クロッチ位置及びクロッチ長、ダーツの位置、数、大きさは、各区分ごとのベースパターンを平均化したものを用いた。図４（ｄ）はこのようにして得られたマスターパターンを示す。全ベースパターンを纏めて平均化し、これをマスターパターンとすることもできる。
【００１４】
第３ステップ；モニターを自由に行動させ、その行動の様子をビデオ等に記録して観察する。モニターが頻繁に行う動作及びそれらの動作において着用者の肌がどのように伸縮するかを判断する。幼児の行動を観察及び分析した結果、パンツ型吸収性物品（特にパンツ型おむつ）を使用する月齢の幼児は、匍匐動作、及び、立位から座位又はその逆の動作、座位状態で前かがみになる動作、走り回る動作を頻繁に行い、これらの動作においては大腿付根部後ろ側の皮膚が頻繁に伸縮することが判った。
【００１５】
第４ステップ；第２ステップで得られた各マスターパターン（又は単一のマスターパターン）に対し、第３ステップにおいて得られた皮膚の伸縮の知見を反映させた修正を加える。この修正は、皮膚の伸縮に追従できるだけの領域を確保するために行う。図４（ｅ）は、着用者の大腿付根部後ろ側の皮膚の伸縮に追従するための領域を使い捨て吸収性物品に確保するために、マスターパターンに格子模様を付した領域を加えて得られた修正マスターパターンを示すものである。
【００１６】
第５ステップ；修正マスターパターンに対し、はかせやすさ（装着しやすさ）を付与するための修正を加える。図４（ｆ）は、修正マスターパターンを幅方向に所定の倍率で拡大して得たパターンを示す図である。この修正により得られたパターンがおむつの平面形状となる最終パターンである。このようにして得られたパターンは、幼児の体型から直接採取しているため、体型に対して非常にフィット性の高いパターンであるといえる。
【００１７】
本実施形態のおむつ１は、液透過性の表面シート２、液不透過性の裏面シート３及び両シート２、３間に介在配置された液保持性の吸収性コア４を有する実質的に縦長の吸収体本体１０と、該吸収体本体１０の裏面シート３側に配された外包材１１とを備えている。
【００１８】
外包材１１は、その両側縁が、長手方向中央部において内方に括れた砂時計形の形状をしており、おむつの輪郭を画成している。外包材１１はその長手方向において、着用者の腹側に配される腹側部Ａと背側に配される背側部Ｂとその間に位置する股下部Ｃとに区分される。腹側部Ａ及び背側部Ｂは、外包材１１の長手方向前側部及び後側部に相当し、股下部Ｃは外包材１１の長手方向中央部に相当する。外包材１１の長手方向前側部及び後側部それぞれには、左右に延出するフラップ部Ｆが形成されている。外包材１１においては、その腹側部Ａのフラップ部Ｆの両側縁Ａ１，Ａ２と、背側部Ｂのフラップ部Ｆの両側縁Ｂ１，Ｂ２とが互いに接合されて、おむつ１にウエスト開口部５及び一対のレッグ開口部６が形成される。この接合によって、おむつ１の左右両側縁には一対のサイドシール部Ｓが形成される。この接合には例えばヒートシール、高周波シール、超音波シール等が用いられる。
【００１９】
表面シート２及び裏面シート３はそれぞれ矩形状であり、これらと吸収性コア４とが一体化されて縦長の吸収体本体１０を形成している。表面シート２及び裏面シート３としては、従来この種のおむつに用いられているものと同様のものを用いることができる。吸収性コア４の詳細については後述する。
【００２０】
図２に示すように、吸収体本体１０の長手方向の左右両側には、液抵抗性ないし液不透過性で且つ通気性の素材から構成された側方カフス８、８が形成されている。各側方カフス８は、吸収体本体１０の長手方向に沿って固定端部及び自由端部を有している。固定端部は、表面シート２に固定されている。一方、自由端部の近傍には、側方カフス弾性部材８１が伸張状態で配されている。これにより
側方カフス８が起立して、吸収体本体１０の幅方向への液の流出が阻止される。
【００２１】
外包材１１は、少なくとも二枚の不織布、即ち外層不織布１２と該外層不織布１２の内面側に配された内層不織布１３とを有している。外層不織布１２はおむつ１の外面をなし、内層不織布１３は外層不織布１２の内面側に、ホットメルト粘着剤等の接着剤によって接合されている。おむつの外側からの液の染み込み及び内側からの液のしみ出しを防止する観点から、内層不織布１３及び外層不織布１２は、両方の不織布が撥水性不織布であることが好ましい。
【００２２】
外包材１１は、吸収体本体１０の前後端縁から外方に延出しており、延出した部分が吸収体本体１０側に折り返されている。折り返された外包材１１は、吸収体本体１０の前後端部上（即ち吸収体本体１０の前後端部における表面シート２上）を被覆している。
【００２３】
外包材１１における前後端部には、前後端縁に沿って、複数のウエスト部弾性部材５１、５１がその幅方向に亘り配されている。各ウエスト部弾性部材５１、５１は、外層不織布１２と内層不織布１３とによって伸張状態で挟持固定されている。各ウエスト部弾性部材５１、５１は、おむつ１の腹側部Ａの両側縁Ａ１，Ａ２と背側部Ｂの両側縁Ｂ１，Ｂ２とを互いに接合させたときに、両弾性部材５１、５１の端部同士が重なるように配されている。これによって、図１に示すように、おむつ１のウエスト開口部５の付近には実質的に連続したリング状のウエストギャザーが形成される。
【００２４】
外包材１１における左右両側の湾曲部には、レッグ部弾性部材６１ａ、６１ｂが配されている。各レッグ部弾性部材６１ａ、６１ｂは、前記湾曲部に沿って配されている。各レッグ部弾性部材６１ａ、６１ｂは、外層不織布１２と内層不織布１３との間に配されており、所定の接合手段によって、両不織布１２、１３に伸張状態で固定されている。各レッグ部弾性部材６１ａ、６１ｂは、その一端どうしが股下部Ｃにおいて重なり合っている。一方、他端は腹側部Ａ及び背側部Ｂの各側縁の位置において終端している。各レッグ部弾性部材６１ａ、６１ｂは、おむつ１の腹側部Ａの両側縁Ａ１，Ａ２と背側部Ｂの両側縁Ｂ１，Ｂ２とを互いに接合させたときに、両弾性部材６１ａ、６１ｂの端部同士が重なるように配されている。これによって、図１に示すように、おむつ１のレッグ開口部６、６の付近には実質的に連続したリング状のレッグギャザーが形成される。
【００２５】
おむつ１においては、おむつ１の腹側部Ａ及び背側部Ｂそれぞれにおけるウエスト開口部５とレッグ開口部６との間に、おむつ１の幅方向に延びる弾性部材が多数配されている。弾性部材が配されることによって、ウエスト開口部５とレッグ開口部６との間にはおむつ１の幅方向に延在する第１領域７１と第２領域７２とが形成されている。第１領域７１には第１弾性部材７１ａが配されており、第２領域７２には第２弾性部材７２ａが配されている。第１領域７１はウエスト開口部５とレッグ開口部６との間に位置し、第２領域７２は第１領域７１とレッグ開口部との間に位置している。
【００２６】
第１弾性部材７１ａ及び第２弾性部材７２ａは何れも外層不織布１２と内層不織布１３とによって伸張状態で挟持固定されている。第１弾性部材７１ａは、おむつ１の腹側部Ａの両側縁Ａ１，Ａ２と背側部Ｂの両側縁Ｂ１，Ｂ２とを互いに接合させたときに、腹側部Ａの第１弾性部材７１ａと背側部Ｂの第１弾性部材７１ａとの端部同士が重なるように配されている。第２弾性部材７２ａについても同様である。これによって、図１に示すように、おむつ１の腹側部Ａ及び背側部（図示せず）における第１領域７１及び第２領域７２にはギャザーがそれぞれ形成される。
【００２７】
第１弾性部材７１ａ及び第２弾性部材７２ａは何れも、おむつ１の左右両側縁（即ち外包材１１の左右両側縁）と吸収性コア４の左右両側縁との間に亘って延在している。そして、吸収性コア４が存在している部位には、第１弾性部材７１ａ及び第２弾性部材７２ａは何れも実質的に存在していない。その結果、第１領域７１及び第２領域７２に形成されるギャザーは、おむつ１の左右両側縁と吸収性コア４の左右両側縁との間に位置しており、吸収性コア４が存在する位置にはギャザーが実質的に形成されていない。これにより、着用状態においても吸収性コア４が存在している部位は、第１弾性部材７１ａ及び第２弾性部材７２ａの収縮により外包材１１が縮むことがなく、おむつ１は外観的にも、また吸収性能的にも良好なものとなる。しかし本発明はこの構成に限定されることはなく、第１弾性部材７１ａ及び第２弾性部材７２ａがおむつ１の幅方向において実質的に全周に亘って配置されていてもよい。
【００２８】
本実施形態のおむつ１における各弾性部材としてはそれぞれ、天然ゴム、ポリウレタン系樹脂、発泡ウレタン系樹脂、伸縮性不織布又はホットメルト系伸縮部材等の伸縮性素材を糸状（糸ゴム）、帯状（平ゴム）、ネット状（網状）又はフィルム状に形成したものが好ましく用いられる。
【００２９】
本実施形態においては、図３に示すように、おむつ１の展開状態において、長手方向前側部のフラップ部Ｆの下端縁と、後側部のフラップ部Ｆの下端縁との間の距離Ｍを２１０〜２８０ｍｍとしている（以下、この距離のことを下端間距離という）。この下端間距離Ｍの値は、先に述べた設計手法から得られた最終パターンの下端間距離に、おむつの材料による厚み等を考慮した必要長を加えて得た数値である。つまりこの下端間距離Ｍは、着用者の体型に対して最適化された値であり、従来のパンツ型おむつにおける下端間距離よりも短い値であることによって特徴付けられる。下端間距離Ｍは、パンツ型おむつにおいて、着用者の股間部に位置する部分の長さ若しくは面積を表す尺度になるものである。詳細には、下端間距離Ｍの長いパンツ型おむつでは、着用者の股間部に位置する部分の長さが長く若しくは面積が広くなり、下端間距離Ｍの短いおむつではその逆となる。そして本実施形態のおむつ１においては、下端間距離Ｍを着用者の体型に対して最適化した結果、該距離Ｍを、従来のパンツ型おむつに比較して短くし、おむつ１のうち、着用者の股間部に位置する部分の長さが従来よりも短く、若しくは面積が従来よりも狭くなされている。その結果、おむつ１の吸収性コア４のうち、着用者の股間部に存在する部分が少なくなり、おむつ１の股下部Ｃのだぶつきが少なく、おむつ１の外観がすっきりとしたものとなる。そのため、着用者の動作、特に足の動きが妨げられにくくもなる。また、おむつの着用中に着用者の動作等に起因するおむつのずれ落ちが起こりづらくなる。その結果、尿や便の漏れも起こりづらい。また、おむつの上にオーバーパンツやズボンなどの上着をはかせやすく、はかせた後の上着の外観もすっきりしたものとなる。
【００３０】
おむつ１の股下部Ｃの外観を一層すっきりとさせる観点から、おむつ１における下端間距離Ｍを２３０〜２７０ｍｍ、特に２３０〜２６０ｍｍとすることが好ましい。
【００３１】
なお、おむつ１の展開状態における外包材１１の全長Ｌは任意に設定可能であるが、おむつ装着時および使用後の「すっきり感」および「ずれ落ち防止性」を考慮すると、４６０〜５２０ｍｍに設定することが好ましい。また「装着時の安心感」を考慮すると、おへそを完全にカバーすることが望ましく、その観点から４９０〜５８０ｍｍに設定することが好ましい。
【００３２】
着用者の股間部に適正な量（長さ若しくは面積）の吸収性コア４を存在させて、おむつ股下部Ｃの外観を向上させるためには、下端間距離Ｍのみならず、おむつ股下部Ｃにおける幅方向の寸法も重要である。おむつ股下部Ｃの寸法が大きすぎると、股下部Ｃが着用者の股間部に適切にフィットしなくなり、だぶつきが生じてしまう。この観点から、本実施形態においては、おむつ股下部Ｃの最小幅部の幅、即ち展開状態の外包材１１の長手方向中央部における最小幅部の幅Ｎ（図３参照）を５０〜１６０ｍｍに設定している。なお最小幅部が一カ所に定まらず、最小幅部が同幅で長手方向に延びているときには、その同幅の部分の長手方向１／２の長さの位置を最小幅部と定義する。
【００３３】
前記の最小幅部の幅Ｎは、従来のパンツ型おむつに比較して短いことで特徴付けられるものである。つまり、本実施形態のおむつ１においては、着用者の股間部に存在する吸収性コア４の寸法が、その長手方向及び幅方向の何れにおいても、従来のパンツ型おむつに比較して短くなっている。おむつ股下部Ｃの外観を一層向上させる観点から、前記の最小幅部の幅Ｎは６０〜１４０ｍｍ、特に６０〜１２０ｍｍであることが好ましい。
【００３４】
前述の通り、本実施形態のおむつ１においては、着用者の股間部に存在する吸収性コア４の寸法が長手方向及び幅方向の何れにおいても小さくなっている。即ち、着用者の股間部に存在する吸収性コア４の量が少なくなっている。しかしこのことは、おむつ１の吸収容量の低下につながるおそれがある。これを防止するために、吸収性コアを４、その幅方向両側縁部近傍においておむつ本体（本実施形態では外包材１１）から離間可能になしていると共に、離間可能になしている部分間においておむつ本体に固定している。具体的には以下に述べるように吸収性コア４の形状の工夫を施している。
【００３５】
図６に示すように、本実施形態のおむつ１における吸収性コア４は、フラッフパルプと高吸収性ポリマーとの積繊体からなる吸収材料が、長手方向に延びる３分割体４ａ，４ｂ，４ｃに区分されている。これら３つの分割体は、それら全体がティッシュペーパー（図示せず）によって包まれて、一体としての吸収性コア４を構成している。左右両側の分割体４ａ，４ｃは、吸収性コア４の長手方向中央部において中央の分割体４ｂと分割されている。吸収性コア４の長手方向前側部及び後側部は、中央の分割体４ｂのみから構成されている。吸収性コア４は、その下面が外包材（図示せず）に接着固定されているが、この場合、左右両側の分割体４ａ，４ｃは、外包材に固定されておらず、外包材から離間可能になされている。一方、左右両側の分割体４ａ，４ｃを除く分割体、即ち中央の分割体４ｂは、外包材１１に固定されている。このような構成になっていることに起因して、おむつ１の着用中は、吸収性コア４の幅方向に加わる体圧によって左右両側の分割体４ａ，４ｃが外包材から離間して立ち上がる。分割体の立ち上がり性を向上させることを目的に、左右両側の分割体４ａ，４ｃの側縁部近傍に弾性体が配置されていることが好ましい。その結果、吸収性コア４の実質的な幅は中央の分割体４ｂの幅に近づく。要するに、おむつ１の着用前の吸収性コア４の幅は大きいものの、着用中の吸収性コア４の幅は小さくなって、吸収性コア４が着用者の股間部に適切にフィットするようになる。これと共に、左右両側の分割体４ａ，４ｃの存在によって、吸収性コア４全体としての吸収容量は十分に確保される。このような理由により、本実施形態のおむつ１においては、着用者の股間部に存在する吸収性コア４の量が少なくなっても、吸収容量の低下が防止される。
【００３６】
おむつ着用中の吸収性コア４の実質的な幅（吸収性コア４と外包材１１との接着幅）は、好ましくは２０〜９０ｍｍに設定される。おむつ着用中の股下部Ｃにおけるフィット性及びだぶつき防止の観点から２０〜８０ｍｍに設定することが更に好ましく、３０〜７０ｍｍに設定することが一層好ましい。また、おむつ装着前の吸収性コア４の幅（左右両側の分割体４ａ，４ｃが離間する前の吸収性コアの全幅）は、好ましくは５０〜１５０ｍｍに設定される。股下部Ｃの吸収性能を向上させる観点から、該幅は６０〜１５０ｍｍであることが更に好ましく、７０〜１４０ｍｍであることが一層好ましい。
【００３７】
本実施形態のおむつ１においては、先に説明した第１領域７１におけるおむつ１の着用時の圧力の平均値を好ましくは１．１〜２．５ｋＰａ、更に好ましくは１．１〜２．０ｋＰａ、一層好ましくは１．２〜１．８ｋＰａとなすことで、着用状態でのおむつ１の外観を一層向上させることができる。第１領域７１は、おむつ１を着用したときに着用者の腸骨稜から上前腸骨棘にかけての部位（以下、腸骨領域ともいう）に当接する部位に好ましくは形成されている。腸骨稜及び上前腸骨棘は解剖学の用語である。腸骨稜とは図７において９ａで示される部位であり、上前腸骨棘とは同図において９ｂで示される部位である。従来、パンツ型おむつの着用中のずれ落ちを防止するためには、特に幼児用のパンツ型使い捨ておむつの着用中のずれ落ちを防止するためには、ウエスト開口部に配設する弾性部材の締め付け圧を高くして、該ウエスト開口部によってパンツ型おむつを着用者の身体に密着させることが有効であると考えられてきた（例えば、先に述べた特許文献２参照）。しかし本発明者らの検討の結果、パンツ型おむつの着用中のずれ落ちを効果的に防止するためには、ウエスト開口部の締め付け圧を高くするよりも、着用者の腸骨領域に対応するおむつの部位の締め付け圧を従来よりも高めることが有効であることが見出された。この理由は、着用者、特に幼児は、その身体的な特徴として腹まわりが張り出しているので、当該張り出している腹まわりに当接するウエスト開口部の締め付け圧を高くすると、その締め付け圧が高い故にウエスト開口部が次第に絞り込まれて、腹まわりが細くなる部位にまで該ウエスト開口部がずれ下がってくるからである。
【００３８】
第１領域７１におけるおむつ１の着用時の圧力は、例えば第１弾性部材７１ａの素材や太さ、伸長率、或いは配設間隔を調整することでコントロールすることができる。
【００３９】
第１領域７１におけるおむつ１の着用時の圧力は、周長が５００ｍｍの円筒におむつ１を装着し、装着圧測定装置（（株）エイエムアイ・テクノ製の接触圧測定器（ＡＭＩ３０３７−２））によって測定される。具体的な測定法は以下の通りである。
【００４０】
〔第１領域７１の圧力の測定方法〕
φ＝１５ｍｍのエアパックを用い、ウエスト開口部の先端部にエアパックの中心が位置するようにセットし、装着圧（Ｐ１）を測定する。エアパックをセットするおむつ幅方向の位置は、おむつの左右両側縁と吸収性コア４の左右両側縁とのほぼ中心とする（図３参照）。続いておむつ１の長さ方向に５ｍｍエアパックの中心を移動させ装着圧（Ｐ２）を測定する。同様に５ｍｍ間隔で測定を行い、Ｐ３，Ｐ４，Ｐ５，・・・，Ｐｎを得る。Ｐ１ないしＰｎの測定は外包材１１におけるウエスト開口部からレッグ開口部までの左右両側部どうしが互いに接合されている範囲にわたって行う。Ｐ１ないしＰｎは腹側部において、左右２点ずつ計４点測定を行う。これらの平均値を腹側部の装着圧とする。同様に背側部においても、計４点測定を行い、平均値を背側部の装着圧とする。Ｐ１からＰｎの値において１．１〜２．５ｋＰａに連続的に該当する部位間の距離を第１領域７１の幅とする。例えば、Ｐ３からＰ６までが該当する場合、領域の幅＝（６−３）×５＝１５ｍｍとする。またその時の第１領域７１の中心は測定点３と測定点６の中点とする。
【００４１】
円筒の周長を５００ｍｍとした理由は、本実施形態のおむつ１を着用する主たる対象者である幼児の腹まわりの長さの平均がおおよそ５００ｍｍであることによる。なお、ここで言う腹まわりの長さは、幼児の姿勢が変化した時の腹まわりの周長の変化を考慮し、立位および座位で測定した腹まわりの平均値である。
【００４２】
着用者の腸骨稜から上前腸骨棘にかけての部位には一定の幅があり、当該幅の範囲内でおむつ１の第１領域７１を当該部位に固定することで、おむつ１のずれ落ちを一層効果的に防止することができる。この観点から、本実施形態のおむつ１においては、第１領域７１の幅（つまり、おむつ１の長手方向に沿う第１領域７１の長さ）Ｗ１を１５〜３５ｍｍとすることが好ましい。この幅Ｗが２０〜３５ｍｍ、特に２５〜３０ｍｍであると、おむつ１のずれ落ちを更に一層効果的に防止することができ、また着用状態でのおむつ１の外観やおむつ１の装着操作（はかせやすさ等）を一層向上させることができる。
【００４３】
おむつ１を着用した状態で、第１領域７１が着用者の腸骨稜から上前腸骨棘にかけての部位に当接するようにするためには、おむつ１の寸法と着用者の体格との関係も重要である。例えばパンツ型おむつの主たる着用対象者である幼児を考えた場合、おむつ１の展開状態において、腹側部Ａの第１領域７１の中心位置（おむつ１の長手方向に沿う中心位置）とおむつ１の長手方向中心線ＣＬとの間の距離Ｋ１を好ましくは１８０〜２２０ｍｍとし、且つおむつ１の展開状態において、背側部Ｂの第１領域７１の中心位置（おむつ１の長手方向に沿う中心位置）とおむつ１の長手方向中心線ＣＬとの間の距離Ｋ２を好ましくは１８０〜２２０ｍｍとすることで、第１領域７１を着用者の腸骨領域に首尾良く当接させることができる。この値はパンツおむつの主たる着用対象者である幼児約３５０人の身体計測を実施して決定されたものである。具体的には図８に示すように、上前腸骨棘の水平位置高さにある腹側部左右中心点を上前腸骨棘高前中心とし、背側部を上前腸骨棘高後中心とすると、上前腸骨棘高前中心から股下を経由し上前腸骨棘高後中心までの長さを上前腸骨棘高前後長とし、この上前腸骨棘高前後長におむつの材料による厚み等を考慮した必要長を加えて得られた数値を二分したものである。当該距離Ｋ１およびＫ２を１８５〜２１５ｍｍ、特に１９０〜２１５ｍｍとすることで、第１領域７１を着用者の腸骨領域に一層首尾良く当接させることができる。
【００４４】
第１領域７１は腹側部Ａ及び背側部Ｂに存在するが、腹側部Ａ及び背側部Ｂにおける装着時の圧力は全く同じである必要はない。即ち、腹側部Ａ及び背側部Ｂにおける第１領域７１の装着時の圧力が１．１〜２．５ｋＰａであることを満たせば、弾性体の素材、太さ、伸長率、配設間隔は腹側部Ａ及び背側部Ｂにおいて異なっていてもよい。しかし、腹側部Ａ及び背側部Ｂの第１領域７１の構成が過度に異なると、外包材１１における長手方向前後端部の左右両側部どうしが互いに接合されている部位が、装着時において前後いずれかにずれてしまい、おむつ１の外観に不具合が生じることがある。そこで、腹側部Ａ及び背側部Ｂにおける第１領域７１の装着時の圧力の大きい方をＡ、小さい方をＢとした時、（Ａ−Ｂ）／Ａの比が３０％以内であることが好ましい。
【００４５】
本発明において、おむつ１の長手方向中心線ＣＬとは、おむつ１の腹側部Ａの両側縁Ａ１，Ａ２と背側部Ｂの両側縁Ｂ１，Ｂ２とが実質的にずれることなく互いに接合されている場合においては、おむつ１の展開状態におけるＡ１、Ｂ１の中点を通るおむつ幅方向に沿う直線のことをいう（図３参照）。これと異なり、例えば図９（ａ）及び（ｂ）に示すように、腹側部Ａの両側縁Ａ１，Ａ２が、背側部Ｂの両側縁Ｂ１’，Ｂ２’と接合されておらず、両側縁Ｂ１’，Ｂ２’よりも長手方向内方の位置であるＢ１，Ｂ２において接合されている場合においては、Ｂ１，Ｂ２からＢ１’，Ｂ２’にかけての領域をないものと仮定した上で、前述と同様に、おむつの長手方向中心線を定める。
【００４６】
本実施形態のおむつ１における締め付け力は、主として、第１領域７１に配された第１弾性部材７１ａを利用することが好ましい。換言すれば、従来のパンツ型おむつと異なり、ウエスト開口部５に配された弾性部材による締め付け力を、着用者の身体におむつ１を固定するための主たる手段として用いる必要はない。逆にウエスト開口部５の締め付け力を高くしてしまうと、おむつ１のずれ落ちが助長されてしまうことが本発明者らによって確認されている。この観点から、本実施形態のおむつ１においては、おむつ着用時のウエスト開口部５の圧力の平均値を、従来のパンツ型おむつのそれよりも低い値である０．３〜１．５ｋＰａとなすことが好ましい。この圧力は、おむつ着用時の第１領域７１の圧力の平均値よりも０．５〜１．０ｋＰａ低いことが好ましい。また、おむつ着用時のウエスト開口部５の圧力を前記範囲内とすることで、おむつ１の着用時にウエスト開口部５を拡開しやすくなり、装着操作を行いやすくなるという利点もある。０．３ｋＰａ以下であると、装着する前のおむつ１の自然長が大きくなり、衣服として見たときの見映えが悪い等の不具合が生じることがある。
【００４７】
おむつ着用時のウエスト開口部５の圧力の平均値が、更に好ましくは０．４〜１．２ｋＰａ、一層好ましくは０．４〜１．０ｋＰａとなされていると、おむつ１のずれ落ちを更に一層効果的に防止することができる。ウエスト開口部５の圧力は、先に述べた第１領域７１の圧力と同様の方法によって測定することができる。即ち、おむつ１のウエスト開口部５に周長５００ｍｍの円筒を挿入（装着）し、ウエスト開口部の先端部よりおむつ長手方向に１５ｍｍの位置に装着圧測定装置のエアパックの中心を位置させ装着圧を測定する。測定は円周方向に５０ｍｍ間隔にて１０点行い、その平均値をもってウエスト開口部の圧力とする。図９（ａ）及び（ｂ）に示すように、腹側のウエスト開口部の端縁の位置と、背側のウエスト開口部の端縁の位置とがずれている場合は、腹側と背側とが重なっている領域のうち、最も端部寄りの位置をもってウエスト開口部とする。ウエスト開口部５の圧力は、例えばウエスト部弾性部材５１の素材、太さや伸長率、或いは配設間隔を調整することでコントロールすることができる。尚、ウエスト開口部５の圧力が第１領域７１の圧力の範囲に入る場合は、当該位置は第１領域７１に含まれるものとする。
【００４８】
おむつ１においては、レッグ開口部に実質的に沿って弾性部材６１ａ，６１ｂが伸長状態で配されていることが好ましい。そして、おむつ着用時のレッグ開口部６の圧力の平均値が、１．０〜２．４ｋＰａ、特に１．２〜２．２ｋＰａとなされていることが好ましい。おむつ着用時のレッグ開口部６の圧力が前記範囲内であることによって、レッグ開口部６の開口端が着用者の鼠蹊部に適正にフィットし、着用者の脚周りからの液漏れを効果的に防止することができる。また、使用時において排尿／排便に起因しておむつ１の股下における重量が増加しても、股下において吸収体が着用者の身体から離間することが防止され、着用中のおむつ１の外観の低下及び尿や便の漏れが防止される。その結果、着用状態のおむつ１を良好な状態に保つことができる等の効果を得ることができる。
【００４９】
レッグ開口部の装着圧は次の方法で測定される。装置／エアパックはウエスト開口部の測定と同じである。おむつ１のレッグ開口部６に周長３００ｍｍの円筒を挿入（装着）し、弾性部材６１ａ，６１ｂが配置された部位にて円周方向に５０ｍｍ間隔で６点測定を行う。弾性部材６１ａ，６１ｂが複数本存在する場合は、該弾性部材が配置されている領域の幅中心点にて測定を行う。右足および左足計１２点の平均値をレッグ開口部６の装着圧とする。レッグ部弾性部材６１ａ，６１ｂが完全に、あるいは部分的にないものに関しては相当部位における側方カフス弾性部材８１が配置されている領域の装着圧をもってレッグ開口部の装着圧とする。円筒の周長を３００ｍｍとした理由は、本実施形態のおむつ１を着用する主たる対象者である幼児の鼠蹊部（足まわり）の長さの平均がおおよそ３００ｍｍであることによる。
【００５０】
更に本実施形態のおむつ１においては、おむつ着用時の、第１領域７１、ウエスト開口部５及びレッグ開口部６以外の領域、例えば第１領域７１とレッグ開口部６との間に位置する第２領域７２の圧力の平均値が好ましくは０．２〜０．８ｋＰａ、更に好ましくは０．３〜０．６ｋＰａになされている。これによって、おむつ１を着用者の身体に適度な圧力で密着させることができ、液漏れを効果的に防止することができる。第２領域７２は、おむつ１を着用した場合に、着用者の腸骨領域の下側の領域（下腹部）に当接する。第２領域７２の幅（つまり、おむつ１の長手方向に沿う第２領域７２の長さ）Ｗ２は４０〜７０ｍｍ、特に４５〜６５ｍｍであることが好ましい。
【００５１】
これに関連して、おむつ１においては、おむつ着用時の、ウエスト開口部５、第１領域７１及び第２領域７２の圧力を比較したときに、第１領域７１の圧力が最も高く、次いでウエスト開口部５の圧力が高く、第２領域７２の圧力が最も低いことが好ましい。各部位の圧力にこのような序列を設けることで、着用中のおむつ１のずれ落ちが効果的に防止されるのみならず、おむつ１が着用者の身体に違和感なく密着し、液漏れが効果的に防止される。
【００５２】
本発明においては、吸収性コア６として、図６に示す実施形態以外のものを用いることもできる。例えば図６に示す実施形態においては、吸収性コア４がその長手方向に３分割されていたが、分割体の左右両側の分割体が外包材から離間可能になされていれば、分割数は３に限られず、４分割以上であってもよい。
【００５３】
また、吸収性コア４がその幅方向両側縁部近傍においておむつ本体から離間可能になされている限り、吸収性コア４の形状は、先に述べた実施形態に制限されない。例えば図１０（ａ）に示すように、吸収性コア４が下部吸収体４２とその上に配置された上部吸収体４１との二層構造であってもよい。上部吸収体４１は略Ｔ字形である。下部吸収体４２は上部吸収体４２よりも大きな寸法を有し、全体として縦長の矩形をしている。下部吸収体４２は、その長手方向に沿って一対の非積繊部４３を有している。非積繊部４３は下部吸収体４２の長手方向に延びている。非積繊部４３は、下部吸収体４２の長手方向の各端縁までは延びておらず、下部吸収体４２の長手方向の略中央部にのみ形成されている。従って、非積繊部４３の各端部と、下部吸収体４２の長手方向の各端縁４２ａとの間は、非積繊部が存在しない積繊部４４，４４になっている。
【００５４】
各非積繊部４３は、下部吸収体４２の縦中心線に関して左右対称な位置に形成されている。非積繊部４３は、直線部４５及び該直線部４５の各端部に連なる円弧部４６によって画定される略弓形の細長い形状をしている。各非積繊部４３においては、その直線部４５が、下部吸収体４２の幅方向外方寄りに位置し、円弧部４６が下部吸収体４２の幅方向内方寄りに位置している。
【００５５】
一方、略Ｔ字形をなす上部吸収体４１はその脚部４１ａが、下部吸収体４２における非積繊部４３間の部位に位置している。脚部４１ａの長さは非積繊部４３の長さとほぼ同じになっている。上部吸収体４１の頭部４１ｂは、下部吸収体４２の一方の積繊部４４上に位置している。頭部４１ｂの幅は下部吸収体４２の幅よりも若干狭くなっている。そして、吸収性コア４においては、上部吸収体４１の頭部４１ｂが位置する側が、おむつの背側に配される。
【００５６】
本実施形態の吸収性コア４においては、下部吸収体４２のうち、非積繊部４３よりも幅方向外方に位置する部分が、図６に示す吸収性コアにおける左右両側の分割体４ａ，４ｃに相当する。また、下部吸収体４２のうち、非積繊部４３間に位置する部分、及び上部吸収体４１の脚部４１ａが、図６に示す吸収性コアにおける中央部の分割体４ｂに相当する。本実施形態の吸収性コア４によれば、非積繊部４３が、先に述べた略弓形の形状をしているので、下部吸収体４２のうち、非積繊部４３よりも幅方向外方に位置する部分の立ち上がり性が良好になる。
【００５７】
図１０（ａ）ないし（ｃ）に示す実施形態の吸収性コアの変形例として、図１１（ａ）及び（ｂ）に示す実施形態の吸収性コア４を用いることもできる。図１１（ａ）及び（ｂ）に示す実施形態の吸収性コア４は、図１０（ａ）ないし（ｃ）に示す実施形態の吸収性コアのうち、下部吸収体のみから構成されているものである。本実施形態の吸収性コアにおいても、略弓形をした細長い非積繊部４３が、吸収性コア４の長手方向に沿って一対形成されているので、非積繊部４３よりも幅方向外方に位置する部分の立ち上がり性が良好になる。
【００５８】
また図１２（ａ）及び（ｂ）に示す実施形態の吸収性コア４は、図１１（ａ）及び（ｂ）に示す吸収性コアの変形例であり、非積繊部４３が閉じた形状をしていない。そして、長手方向に延びる左右の分割体４ａ，４ｃは、それらの一方の端部において中央の分割体４ｂと繋がった状態になっている。また、図１２（ｃ）に示す実施形態の吸収性コア４においては、矩形状の吸収性コア４の左右両側縁部にそれぞれ複数のノッチ４ｄが形成され、ノッチ４ｄ間に位置する吸収性コア４がおむつ本体から離間するようになっている。更に、図１２（ｄ）及び（ｅ）に示す実施形態の吸収性コア４においては、吸収性コア４が上層４ｅ及び下層４ｆの二層構造となっている。上層４ｅ及び下層４ｆそれぞれの形状は、両者を重ね合わせた状態で、吸収性コア４の左右両側縁部にそれぞれ複数のノッチ４ｄが形成され且つノッチ４ｄ間に位置する吸収性コア４がおむつ本体から離間するような形状となっている。
【００５９】
以上、本発明をその好ましい実施形態に基づき説明したが、本発明の範囲はかかる実施形態に制限されない。例えば外包材１１においては、内層不織布１３及び外層不織布１２の何れか一方だけを、撥水性不織布とすることが可能である。また側方カフス８で十分な防漏性を確保できる場合には、内層不織布１３及び外層不織布１２の両方に透水性不織布も用いることも可能である。
【実施例】
【００６０】
以下、実施例により本発明を更に詳細に説明する。しかしながら本発明の範囲はかかる実施例に制限されるものではない。
【００６１】
〔実施例１及び２並びに比較例１ないし３〕
図１ないし図３に示すパンツ型おむつを作製した。吸収体本体１０における表面シート２は、坪量２５ｇ／ｍ2の親水性エアースルー不織布から構成されている。裏面シート３は、坪量２０ｇ／ｍ2のポリエチレンシートから構成されている。また外包材１１における外層不織布１１は、坪量２５ｇ／ｍ2の撥水性エアースルー不織布から構成されており、内層不織布は、坪量１８ｇ／ｍ2の撥水性スパンボンド不織布から構成されている。各弾性部材によって生じる圧力は、弾性素材の種類、および伸長率を変えることで調整した。得られたおむつにおける各値を表１に示す。
【００６２】
得られたおむつを１〜２才の幼児３人に装着させ、そのときの装着性と装着状態について、以下の基準で母親に評価を行わせた。その結果を表１に示す。
（１）おむつの着用状態での股下のだぶつき
○：気にならない
△：やや気になる
×：気になる
（２）おむつの着用状態での動きやすさ
○：動きやすそう
△：やや動きにくそう
×：動きにくそう
（３）おむつ上からのズボンのはかせやすさ
○：はかせやすい
△：ややはかせやすい
×：はかせにくい
（４）おむつ上からのズボンのはかせたときの股下のだぶつき
○：気にならない
△：やや気になる
×：気になる
（５）装着６０分後のおむつのずれ落ち
○：ずれ無し
△：ややずれあり
×：ずれあり
【００６３】
【表１】
2006061682.tif 000003
【００６４】
表１に示す結果から明らかなように、各実施例のおむつは、その着用状態で股下にだぶつきが無く動きやすいものであることが判る。また、おむつの上からズボンをはかせやすく、ズボンにだぶつきが無いことも判る。更に、おむつのずれ落ちが無いことも判る。これに対しておむつ股下部の最小幅部の幅が大きい比較例１のおむつは、おむつ及びその上からはかせたズボンの股下にだぶつきが生じ、また動きにくく、ずれ落ちやすいものであることが判る。比較例２のおむつは、下端間距離が大きいので、おむつ及びその上からはかせたズボンの股下にだぶつきが、比較例１のおむつよりも一層生じることが判る。比較例３のおむつは、おむつ股下部の最小幅部の幅が大きく且つ下端間距離も大きいので、すべての評価項目において劣っていることが判る。
【図面の簡単な説明】
【００６５】
【図１】本発明のパンツ型使い捨ておむつの一実施形態を示す斜視図である。
【図２】図１に示すおむつを組み立てる前の状態を示す分解斜視図である。
【図３】図２における外包材の展開状態を示す平面図である。
【図４】図４（ａ）〜（ｆ）は、おむつの新規な設計手法を説明するための図であり、図４（ａ）〜（ｃ）は、身体形状を転写して得たベースパターンを示す図であり、図４（ｄ）は、ベースパターンに修正を加えた修正ベースパターンを示す図であり、図４（ｅ）は、着用者の皮膚の伸縮を考慮し、マスターパターンに修正を加えて得た修正マスターパターンを示す図であり、図４（ｆ）は、修正マスターパターンに、はかせやすさ（装着しやすさ）等を考慮して修正を加えて得た最終パターンを示す図である。
【図５】使い捨ておむつの新規な設計手法における計測部位等を示す図である。
【図６】吸収性コアの構造を示す平面図である。
【図７】腸骨を示す説明図である。
【図８】上前腸骨棘高前後長の測定方法を示す説明図である。
【図９】図９（ａ）は本発明のおむつの別の実施形態を示す斜視図であり、図９（ｂ）は図９（ａ）に示すおむつの展開状態を示す平面図である。
【図１０】図１０（ａ）ないし（ｃ）は、吸収性コアの他の実施形態を示す平面図である。
【図１１】図１０（ａ）及び（ｂ）は、吸収性コアの更に他の実施形態を示す平面図である。
【図１２】図１２（ａ）ないし（ｅ）は、吸収性コアの更に他の実施形態を示す平面図である。
【符号の説明】
【００６６】
１  パンツ型使い捨ておむつ
２  表面シート
３  裏面シート
４  吸収性コア
４ａ，４ｂ，４ｃ  分割体
５  ウエスト開口部
６  レッグ開口部
７１  第１領域
７２  第２領域
【図１】
2006061682.tif 000004
【図２】
2006061682.tif 000005
【図３】
2006061682.tif 000006
【図４】
2006061682.tif 000007
【図５】
2006061682.tif 000008
【図６】
2006061682.tif 000009
【図７】
2006061682.tif 000010
【図８】
2006061682.tif 000011
【図９】
2006061682.tif 000012
【図１０】
2006061682.tif 000013
【図１１】
2006061682.tif 000014
【図１２】
2006061682.tif 000015